【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
競馬レースの賭けを管理する方法であって、
各賭けがある日に競馬場で開催予定の複数の競馬レースから選ばれた５つの競馬レース
の選択と、前記選択された５つの競馬レースのそれぞれの各馬の選択と、賭け金とを有す
る複数の賭けを各賭けをする人から受け付けるステップと、
賭けプールを構成するよう各賭け金を集約するステップと、
少なくとも部分的に前記賭けプールに基づき、前記ある日の合計払戻金を決定するステップと、
から構成され、
前記複数の賭けの第１の賭けの少なくとも１つの選択された競馬レースは、前記複数の賭けの第２の賭けの少なくとも１つの選択された競馬レースと異なる競馬レースからなることを特徴とする方法。
【請求項２】
請求項１記載の方法であって、
前記開催予定の複数の競馬レースのそれぞれの勝ち馬を特定する前記複数の競馬レース
の結果を受け付けるステップと、
前記結果に基づき、前記複数の賭けの１以上の当選を決定するステップと、
をさらに有することを特徴とする方法。
【請求項３】
請求項２記載の方法であって、
１以上の当選を決定するステップは、前記複数の賭けのそれぞれについて、選ばれた各馬が前記賭けにおいて選ばれた５つの競馬レースのそれぞれの勝ち馬に対応するか判断することから構成されることを特徴とする方法。
【請求項４】
請求項２記載の方法であって、
当選数と合計払戻金に基づき、各当選について支払われる金額を決定するステップをさらに有することを特徴とする方法。
【請求項５】
請求項４記載の方法であって、
前記各当選について支払われる金額を決定するステップは、さらに各当選の賭け金に基づくことを特徴とする方法。
【請求項６】
請求項１記載の方法であって、
前記少なくとも部分的に前記賭けプールに基づき合計払戻金を決定するステップは、手数料率を前記賭けプールに適用することから構成されることを特徴とする方法。
【請求項７】
請求項１記載の方法であって、
前記少なくとも部分的に前記賭けプールに基づき合計払戻金を決定するステップは、以前のレース日からのキャリーオーバー金を前記賭けプールに加算することから構成されることを特徴とする方法。
【請求項８】
請求項１記載の方法であって、
前記開催予定の複数の競馬レースのそれぞれの勝ち馬を特定する前記複数の競馬レース
の結果を受け付けるステップと、
前記複数の賭けのそれぞれについて、選択された各馬が前記賭けにおいて選ばれた５つの競馬レースのそれぞれの勝ち馬に対応するか判断することによって、当選があるか判断するステップと、
当選がない場合、以降のレース日の合計払戻にキャリーオーバーするキャリーオーバー
金を決定するステップと、
をさらに有することを特徴とする方法。
【請求項９】
請求項１記載の方法であって、
前記その日の競馬場で開催予定の複数の競馬レースの少なくとも１つをキャンセルするステップと、
前記開催予定の複数の競馬レースの少なくとも１つについて勝ち馬を特定する前記複数
の競馬レースの結果を受け付けるステップと、
前記複数の賭けのそれぞれについて、前記選ばれた各馬の少なくとも１つが前記賭け
において選ばれた５つの競馬レースの少なくとも１つの勝ち馬に対応するか判断すること
によって、１以上の当選を決定するステップと、
をさらに有することを特徴とする方法。
【請求項１０】
競馬レースの賭けを管理するシステムであって、
各賭けがある日に競馬場で開催予定の複数の競馬レースから選ばれた５つの競馬レース
の選択と、前記選択された５つの競馬レースのそれぞれの各馬の選択と、賭け金とを有す
る複数の賭けを格納するよう動作可能なメモリと、
前記メモリに接続され、賭けプールを構成するよう各賭け金を集約し、少なくとも部分
的に前記賭けプールに基づき、前記ある日の合計払戻金を決定するよう動作可能なプロセ
ッサと、
から構成され、
前記複数の賭けの第１の賭けの少なくとも１つの選択された競馬レースは、前記複数の賭けの第２の賭けの少なくとも１つの選択された競馬レースと異なる競馬レースからなることを特徴とするシステム。
【請求項１１】
請求項１０記載のシステムであって、
前記プロセッサはさらに、
前記開催予定の複数の競馬レースのそれぞれの勝ち馬を特定する前記複数の競馬レース
の結果を受け付け、
前記結果に基づき、前記複数の賭けの１以上の当選を決定する、
よう動作可能であることを特徴とするシステム。
【請求項１２】
請求項１１記載のシステムであって、
１以上の当選を決定するよう動作可能なプロセッサは、前記複数の賭けのそれぞれに
ついて、選ばれた各馬が前記賭けにおいて選ばれた５つの競馬レースのそれぞれの勝ち馬
に対応するか判断するよう動作可能なプロセッサから構成されることを特徴とするシステ
ム。
【請求項１３】
請求項１１記載のシステムであって、
前記プロセッサはさらに、当選数と合計払戻金に基づき、各当選について支払われる金
額を決定するよう動作可能であることを特徴とするシステム。
【請求項１４】
請求項１３記載のシステムであって、
前記プロセッサは、さらに各当選の賭け金に基づき、各当選について支払われる金額を
決定するよう動作可能であることを特徴とするシステム。
【請求項１５】
請求項１０記載のシステムであって、
少なくとも部分的に前記賭けプールに基づき合計払戻金を決定するよう動作可能なプロ
セッサは、手数料率を前記賭けプールに適用するよう動作可能なプロセッサから構成され
ることを特徴とするシステム。
【請求項１６】
請求項１０記載のシステムであって、
少なくとも部分的に前記賭けプールに基づき合計払戻金を決定するよう動作可能なプロ
セッサは、以前のレース日からのキャリーオーバー金を前記賭けプールに加算するよう動作可能なプロセッサから構成されることを特徴とするシステム。
【請求項１７】
請求項１０記載のシステムであって、
前記プロセッサはさらに、
前記開催予定の複数の競馬レースのそれぞれの勝ち馬を特定する前記複数の競馬レース
の結果を受け付け、
前記複数の賭けのそれぞれについて、選択された各馬が前記賭けにおいて選ばれた５
つの競馬レースのそれぞれの勝ち馬に対応するか判断することによって、当選があるか判
断し、
当選がない場合、以降のレース日の合計払戻にキャリーオーバーするキャリーオーバー
金を決定する、
よう動作可能であることを特徴とするシステム。
【請求項１８】
請求項１０記載のシステムであって、
前記プロセッサはさらに、
前記その日の競馬場で開催予定の複数の競馬レースの少なくとも１つをキャンセルし、
前記開催予定の複数の競馬レースの少なくとも１つについて勝ち馬を特定する前記複数
の競馬レースの結果を受け付け、
前記複数の賭けのそれぞれについて、前記選ばれた各馬の少なくとも１つが前記賭け
において選ばれた５つの競馬レースの少なくとも１つの勝ち馬に対応するか判断すること
によって、１以上の当選を決定する、
よう動作可能であることを特徴とするシステム。
【請求項１９】
競馬レースを管理する方法であって、
各賭けがある日に競馬場で開催予定の複数の競馬レースから選ばれた５つの競馬レース
の選択と、前記選択された５つの競馬レースのそれぞれの各馬の選択と、賭け金とを有す
る複数の賭けを各賭けをする人から受け付けるステップと、
賭けプールを構成するよう各賭け金を集約するステップと、
少なくとも部分的に前記賭けプールに基づき、前記ある日の合計払戻金を決定するステップと、
前記開催予定の複数の競馬レースのそれぞれの勝ち馬を特定する前記複数の競馬レース
の結果を受け付けるステップと、
前記複数の賭けのそれぞれについて、選ばれた各馬が前記賭けにおいて選ばれた５つの競馬レースのそれぞれの勝ち馬に対応するか判断することによって、前記複数の賭けの１以上の当選を決定するステップと、
当選数と、合計払戻金と各当選の賭け金とに基づき、各当選について支払われる金額を決定するステップと、
から構成され、
前記複数の賭けの第１の賭けの少なくとも１つの選択された競馬レースは、前記複数の賭けの第２の賭けの少なくとも１つの選択された競馬レースと異なる競馬レースからなることを特徴とする方法。
【請求項２０】
前記少なくとも部分的に前記賭けプールに基づき、前記ある日の合計払戻金を決定するステップは、手数料率を前記賭けプールに適用し、以前のレース日からのキャリーオーバー金を前記賭けプールに加算することから構成される、請求項１９記載の方法。